(57)【要約】【課題】二段圧縮式冷凍装置における運転条件や使用する冷媒条件の制約の一因となる、高段側吐出ガス温度（または過熱度）の過度の低下を防止すること。【解決手段】冷媒回路に二段圧縮機１と中間冷却器４を備え、前記二段圧縮機１の高段側吸入ガスを前記中間冷却器４からの中間圧力冷媒で冷却するようにした二段圧縮式冷凍装置において、凝縮器３と前記中間冷却器４とを接続する分岐管８と、前記分岐管８に設けられた電子膨張弁９と、前記二段圧縮機１の高段側吐出ガスの過熱度に基づいて前記電子膨張弁を制御するコントローラー２０と、を備える構成とする。【選択図】図１
2007255864.tif 000002
【特許請求の範囲】
【請求項１】
冷媒回路に二段圧縮機と中間冷却器を備え、前記二段圧縮機の高段側吸入ガスを前記中間冷却器からの中間圧力冷媒で冷却するようにした二段圧縮式冷凍装置において、
凝縮器と前記中間冷却器とを接続する分岐管と、
前記分岐管に設けられた電子膨張弁と、
前記二段圧縮機の高段側吐出ガスの過熱度に基づいて前記電子膨張弁を制御する制御手段と、
を備えることを特徴とする二段圧縮式冷凍装置。
【請求項２】
前記制御手段は、前記二段圧縮機の高段側吐出ガスの圧力および温度を検出する圧力センサーおよび温度センサーを備え、これらのセンサーにより検出された前記高段側吐出ガスの圧力および温度に基づいて前記高段側吐出ガスの過熱度を演算する構成となっていることを特徴とする請求項１記載の二段圧縮式冷凍装置。
【請求項３】
冷媒回路に二段圧縮機と中間冷却器を備え、前記二段圧縮機の高段側吸入ガスを前記中間冷却器からの中間圧力冷媒で冷却するようにした二段圧縮式冷凍装置において、
蒸発器の入口側に設けられた電子膨張弁と、
前記二段圧縮機の低段側吸入ガスの過熱度に基づいて前記電子膨張弁を制御する第２の制御手段と、
を備えることを特徴とする二段圧縮式冷凍装置。
【請求項４】
凝縮器と前記中間冷却器とを接続する分岐管と、前記分岐管に設けられた電子膨張弁と、前記二段圧縮機の高段側吐出ガスの過熱度に基づいて前記電子膨張弁を制御する第１の制御手段と、をさらに備えることを特徴とする請求項３記載の二段圧縮式冷凍装置。
【請求項５】
前記第２の制御手段は、前記二段圧縮機の低段側吸入ガスの圧力および温度を検出する圧力センサーおよび温度センサーを備え、これらのセンサーにより検出された前記低段側吸入ガスの圧力および温度に基づいて前記低段側吸入ガスの過熱度を演算する構成となっていることを特徴とする請求項３または４記載の二段圧縮式冷凍装置。
【発明の詳細な説明】
【技術分野】
【０００１】
本発明は、複数段の圧縮行程を有する二段圧縮式冷凍装置に関し、特にその高段側吐出ガスの過熱度の制御に関するものである。
【背景技術】
【０００２】
二段圧縮機、凝縮器、受液器、中間冷却器、蒸発器、これらを連結する冷媒配管、および各冷媒配管内を流れる冷媒の流量を制御するためのキャピラリーチューブ、液インジェクションバルブ、膨張弁等を装備した二段圧縮式冷凍装置では、凝縮器で液化された冷媒の一部を分岐し、その分岐した冷媒を中間圧力まで減圧した後、蒸発器へ搬送される主液冷媒と中間冷却器にて熱交換することによって過冷却によるエコノマイザー効果を得ている。
【０００３】
さらに、主冷媒と中間冷却器にて熱交換した分岐液冷媒を、高段側吸入ガスと合流させることによってこれを冷却し、高段側吐出ガス温度の異常上昇を防止する二段圧縮式冷凍装置が提案されている（例えば、特許文献１参照）。
【０００４】
【特許文献１】特開平９−２１０４８０号公報（第３頁、図１）
【０００５】
上記特許文献１においては、中間冷却器入口の分岐管にキャピラリーチューブと液インジェクションバルブの並列回路を装備し、中間冷却器で必要な液冷媒流量と低段側吐出ガスを高段側吸入ガスとして適正な過熱度とするために必要な液冷媒流量の最低流量をキャピラリーチューブによって確保するとともに、冷凍装置の運転条件の変動によって高段側吐出ガスの温度（または過熱度）が過度に上昇した場合は、液インジェクションバルブを作動させ、その開度を制御することによって高段側吐出ガスの温度または過熱度が許容値内になるように冷媒流量を制御するものである。また、キャピラリーチューブおよび液インジェクションバルブの上流側には電磁弁が装備され、冷凍装置の運転中は常時開放されている。
【発明の開示】
【発明が解決しようとする課題】
【０００６】
上記従来の冷凍装置において、高段側吸入ガスを冷却する目的は、高段側吐出ガス温度の異常上昇を防止するためであるが、高段側吐出ガス温度が低く、液インジェクションバルブが閉じている場合であっても、分岐液冷媒がキャピラリーチューブを介して常に高段側吸入ガスを冷却することになる。
【０００７】
例えば、上記冷凍装置における凝縮器が空気熱源式の場合、冬季など外気温度が低い運転条件では高圧圧力が低い運転となることがある。この場合、高段側吐出ガス温度（または過熱度）は比較的低い運転状態となる。
【０００８】
また、冷媒Ｒ４０４Ａ等のように、吐出ガス温度が低くなる特性を持った冷媒を上記冷凍装置に使用する場合、上述の高圧圧力が低い運転状態においては、高段側吸入ガスの冷却は不要、あるいは微量であればよい場合がある。しかしながら、上記冷凍装置においては、高圧圧力と中間圧力の差圧によって分岐冷媒がキャピラリーチューブを常時流れるため、高段側吸入ガスが過度に冷却され、高段側吐出ガス温度（または過熱度）が過度に低下する場合がある。
【０００９】
また、高段側吐出ガスに含まれる冷凍機油を分離・貯留するための油分離器を装備する冷凍装置においては、高段側吐出ガス温度（または過熱度）が必要以上に低下した場合、冷凍機油への冷媒溶解度が増加することによって、軸受に供給する給油粘度の低下や、圧力変動に伴う冷凍機油の消失等の不具合が発生することが懸念されるため、冷凍装置の運転条件や使用する冷媒条件の制約となっている。
【００１０】
本発明は、二段圧縮式冷凍装置における運転条件や使用する冷媒条件の制約の一因となる、高段側吐出ガス温度（または過熱度）の過度の低下を防止することを目的としている。
【課題を解決するための手段】
【００１１】
前記課題を解決するため、本発明に係る二段圧縮式冷凍装置は、冷媒回路に二段圧縮機と中間冷却器を備え、前記二段圧縮機の高段側吸入ガスを前記中間冷却器からの中間圧力冷媒で冷却するようにした二段圧縮式冷凍装置において、凝縮器と前記中間冷却器とを接続する分岐管と、前記分岐管に設けられた電子膨張弁と、前記二段圧縮機の高段側吐出ガスの過熱度に基づいて前記電子膨張弁を制御する制御手段と、を備える構成としたものである。
【発明の効果】
【００１２】
上記のように構成した二段圧縮式冷凍装置では、中間冷却器の入口側に設けた電子膨張弁によって、主液冷媒の過冷却および高段側吐出ガスの過熱度を許容範囲内に調整するために必要な分岐液流量を制御することができる。この電子膨張弁の制御目標は高段側吐出ガスの過熱度であるが、分岐冷媒は中間冷却器を経由して高段側吸入ガスに合流するため、中間冷却器において主冷媒を過冷却し、エコノマイザー効果も得ることが可能である。  また、この電子膨張弁の制御目標は高段側吐出ガスの過熱度であるため、特にＲ４０４Ａ等のように吐出ガス温度が低くなる特性を持った冷媒を使用した冷凍装置で、高段側吐出ガス温度（過熱度）が低く、高段側吸入ガスの冷却が不要な運転条件において、高段側吐出ガスの過熱度を検知することによって分岐液冷媒の高段側吸入ガスへの注入を遮断し、冷凍機油への冷媒溶解度の増加を抑制することができる。
【発明を実施するための最良の形態】
【００１３】
実施の形態１．
以下、本発明の実施の形態１を図面に基づいて説明する。図１は実施の形態１における二段圧縮式冷凍装置の概略構成図であり、図２は実施の形態１を説明するためのモリエル線図である。また、図１に示す符号ａ〜ｇはこの冷媒回路におけるその箇所の冷媒の状態をあらわしており、図２に示すモリエル線図における符号に対応している。また、図１において、点線は信号線をあらわしている。
【００１４】
図１において、この二段圧縮式冷凍装置は、高段側圧縮機１ａと低段側圧縮機１ｂとからなる二段圧縮機１に、油分離器２、凝縮器３、中間冷却器４、膨張弁５、および蒸発器６を冷媒配管７にて接続した冷媒回路を備えている。さらに、この冷媒回路における凝縮器３と中間冷却器４とを接続する冷媒配管７に分岐管８を設け、この分岐管８には、電子膨張弁９が設けられている。そして、二段圧縮機１の高段側吐出ガスの圧力および温度を検出する圧力センサー２１と温度センサー２２が設けられ、これらのセンサー２１、２２により検出された高段側吐出ガスの圧力および温度に基づいて高段側吐出ガスの過熱度を演算し、その過熱度が許容範囲内になるように電子膨張弁９の開度を制御するコントローラー（第１の制御手段）２０が設けられている。また、中間冷却器４と高段側圧縮機１ａの入口（低段側圧縮機１ｂの出口）とは中間圧力冷媒導入管１０にて接続されている。
【００１５】
次に、上記のように構成された二段圧縮式冷凍装置の動作について、図１、図２を参照して説明する。
二段圧縮機１の高段側圧縮機１ａから吐出された高圧高温の冷媒ガスｂは、油分離器２に流入し、冷媒ガスと冷凍機油に分離される。分離された冷凍機油は油分離器２に貯溜され、二段圧縮機１の軸受給油等に供給される（なお、冷凍機油の給油経路については図示していない）。油分離器２で分離された冷媒ガスｂは次に凝縮器３に流入し、凝縮器３にて不図示の凝縮側熱源と熱交換して冷却され、液冷媒ｃとなった後、分岐される。分岐された液冷媒のうち蒸発器６へ流入する主冷媒は、分岐管８に設けた電子膨張弁９にて中間圧力ｆまで減圧された他方の分岐冷媒と中間冷却器４にて熱交換し、過冷却液ｄとなる。過冷却された主冷媒ｄは、膨張弁５で低圧圧力ｅまで減圧された後、蒸発器６にて不図示の蒸発側熱源と熱交換して気化され、ガス冷媒ａとなって、圧縮機１の低段側圧縮機１ｂに吸入される。
【００１６】
ここで、中間冷却器４にて主冷媒を過冷却した他方の分岐冷媒は、中間圧力冷媒導入管１０を通って高段側吸入ガス（低段側吐出ガス）とgにて合流し、これを冷却することによって高段側吐出ガス温度の異常上昇を防止する。
【００１７】
上記において、圧力センサー２１と温度センサー２２は高段側吐出ガスの圧力と温度を検出し、これらのセンサー２１、２２によって検出された圧力と温度に基づいて、コントローラー２０は高段側吐出ガスの過熱度１２を演算し、高段側吐出ガスの過熱度１２が許容範囲内になるように分岐管８に設けた電子膨張弁９の開度を制御する。
【００１８】
すなわち、この電子膨張弁９は、高段側吐出ガスの過熱度１２が過度に上昇するような運転条件においては、分岐管８を流れる液冷媒ｆの流量を増加させる方向に制御することにより、前記特許文献１における液インジェクションバルブと同様に高段側吐出ガスの過熱度を低下させることができる。
【００１９】
一方、高段側吐出ガスの高圧圧力が低い圧力での運転等のように、高段側吐出ガスの過熱度１２が低下するような運転条件においては、前記特許文献１ではキャピラリーチューブを介して運転中は常に高段側吸入ガスが冷却されるため、油分離器２内に貯溜している冷凍機油への冷媒の溶解度が上昇する結果となるが、本実施の形態１では分岐管８に電子膨張弁９を備えているため、高段側吸入ガスの冷却が不要な運転条件では、中間冷却器４からの中間圧力冷媒（分岐冷媒）を高段側吸入ガスへ注入するのを遮断することができる。
【００２０】
以上のように、本実施の形態１によれば、高段側吐出ガスの過熱度の過度な低下と冷凍機油への冷媒溶解度の増加を抑制することができるため、高段側吐出ガスの高圧圧力がより低い圧力での運転が可能となる。そのため特に、冷媒Ｒ４０４Ａ等のように、吐出ガス温度が低くなる特性を持った冷媒を上記冷凍装置に使用する場合に有効となる。
【００２１】
実施の形態２
次に本発明の実施の形態２を図３、図４に基づいて説明する。図３は実施の形態２における二段圧縮式冷凍装置の概略構成図で、図４は実施の形態２を説明するためのモリエル線図である。また、図３のａ〜ｇの符号は、この冷媒回路におけるその箇所の冷媒の状態をあらわしており、図４のモリエル線図における符号に対応している。
【００２２】
本実施の形態２は、実施の形態１における膨張弁５に代えて、電子膨張弁１３を設けたものである。さらに、二段圧縮機１の低段側圧縮機１ａに吸入される低段側吸入ガスの圧力および温度を検出する圧力センサー２４と温度センサー２５を設け、これらのセンサー２４、２５によって検出された低段側吸入ガスの圧力および温度に基づいて低段側吸入ガスの過熱度を演算し、その過熱度が適正な過熱度になるように電子膨張弁１３の開度を制御するコントローラー（第２の制御手段）２３が設けられている。その他の構成は実施の形態１と同様であるので、同一の構成要素には同一符号を用いるものとする。なお、コントローラー（第２の制御手段）２３と前記コントローラー（第１の制御手段）２０とは１つの制御手段として構成することもできる。また、本実施の形態２は、実施の形態１の構成を含んでいるが、それを含まない単独の構成としてもよい。
【００２３】
本実施の形態２の二段圧縮式冷凍装置では、上記実施の形態１と同様の作用効果を奏するほか、さらに蒸発器６に流入する主液冷媒（過冷却液冷媒ｄ）の流量は、蒸発器６の入口側に設けた電子膨張弁１３によって、通常は低段側吸入ガスとして適正な過熱度（一般的には５℃〜１５℃程度）に制御されるが、高段側吐出ガスの過熱度が過度に低下した場合は、コントローラー２３が電子膨張弁１３を閉方向へ動作させることにより、低段側吸入ガスの過熱度を強制的に図４のモリエル線図において、ａ→ａ’に増加させ、高段側吸入ガス（低段側吐出ガス）の温度をｇ→ｇ’に上げ、また高段側吐出ガスの温度をｂ→ｂ’に上げることとするものである。したがって、高段側吐出ガスの過熱度の低下を抑制することができる。
【００２４】
本実施の形態２によっても、実施の形態１と同様に、高段側吐出ガス過熱度の過度な低下と冷凍機油への冷媒溶解度増加を抑制することができるため、高段側吐出ガスの高圧圧力がより低い圧力での運転が可能となる。また特に、冷媒Ｒ４０４Ａ等のように、吐出ガス温度が低くなる特性を持った冷媒を上記冷凍装置に使用する場合に有効となる。
【図面の簡単な説明】
【００２５】
【図１】本発明の実施の形態１における二段圧縮式冷凍装置の概略構成図である。
【図２】本発明の実施の形態１におけるモリエル線図である。
【図３】本発明の実施の形態２における二段圧縮式冷凍装置の概略構成図である。
【図４】本発明の実施の形態２におけるモリエル線図である。
【符号の説明】
【００２６】
１  二段圧縮機、１ａ  高段側圧縮機、１ｂ  低段側圧縮機、２  油分離器、３  凝縮器、４  中間冷却器、５  膨張弁、６  蒸発器、７  冷媒配管、８  分岐管、９  電子膨張弁、１０  中間圧力冷媒導入管、１２  高段側吐出ガスの過熱度、１３  電子膨張弁、２０  コントローラー（第１の制御手段）、２１  高段側吐出ガスの圧力センサー、２２  高段側吐出ガスの温度センサー、２３  コントローラー（第２の制御手段）、２４  低段側吸入ガスの圧力センサー、２５  低段側吸入ガスの温度センサー。
【図１】
2007255864.tif 000003
【図２】
2007255864.tif 000004
【図３】
2007255864.tif 000005
【図４】
2007255864.tif 000006